(57)【特許請求の範囲】
【請求項１】
上面に排水勾配を形成した床板部、床板部の下面側のリブ形成領域に設けた補強用リブ、及び床板部の下面側に複数個分散して設けた脚取付部を有する合成樹脂製のパン本体と、パン本体の補強用リブの下端に取付けた補強用金属板とを備えた洗い場用防水パンにおいて、前記パン本体は、リブ形成領域の周縁側の領域を除く内側の領域を水上領域及び水下領域に区画すると共に、水上領域の補強用リブ下端を水上領域に隣接する周縁側の領域の補強用リブ下端及び水下領域の補強用リブ下端よりも床板部へ向かって没入させ、前記補強用金属板は、一枚の板材を折曲げ成形してなり、水上領域に位置する水上側片部及び水下領域に位置する水下側片部を第１の起立片部で連接し、水上領域と水下領域の境界に第１の起立片部を対向させたことを特徴とする洗い場用防水パン。
【請求項２】
前記補強用金属板は、前記周縁側の領域のうち前記水上領域よりも更に水上側となる周縁水上領域に位置する縁側片部及び前記水上側片部を第２の起立片部で連接し、周縁水上領域と水上領域の境界に第２の起立片部を対向させたことを特徴とする請求項１記載の洗い場用防水パン。
【発明の詳細な説明】
【技術分野】
【０００１】
本発明は、洗い場用防水パンであって、詳しくは、合成樹脂素材で成形されたパン本体の下面側を補強用金属板で補強したものである。
【背景技術】
【０００２】
従来、洗い場用防水パンには、図１４に示す如く、合成樹脂製のパン本体１０１の下面側を補強用金属板１０２で補強した防水パン１００がある（特許文献１）。
【特許文献１】特開２００３−２７８２０７号公報
【０００３】
パン本体１０１は、上面に排水勾配を形成した床板部１０３と、床板部１０３の下面側のリブ形成領域Ｓに設けた補強用リブ１０４と、リブ形成領域Ｓに複数個分散して設けた脚取付部（図示省略）とを有し、補強用リブ１０４の下端に補強用金属板１０２をビス１０５で取付けてある。防水パン１００は、補強用リブ１０４の高さ寸法について水下側から水上側へ向かって行く程に大きくなるようにして、補強用リブ１０４の下端の全体で一つの仮想平面Ｆを形成するようにしてある。
【発明の開示】
【発明が解決しようとする課題】
【０００４】
しかし、防水パン１００は、水上側の補強用リブ１０４の高さ寸法が洗い場用防水パンとしての剛性を確保するのに必要な寸法よりも大きくなり、その分だけ重量が重くなって施工し難くなる。
【０００５】
本発明は、上記問題を解決するために、洗い場用防水パンとしての剛性を確保しつつ軽量化が可能な洗い場用防水パンの提供を目的とする。
【課題を解決するための手段】
【０００６】
洗い場用防水パンとしての剛性を確保しつつ軽量化を可能とするために請求項１に記載の発明が採用した手段は、上面に排水勾配を形成した床板部、床板部の下面側のリブ形成領域に設けた補強用リブ、及び床板部の下面側に複数個分散して設けた脚取付部を有する合成樹脂製のパン本体と、パン本体の補強用リブの下端に取付けた補強用金属板とを備えた洗い場用防水パンにおいて、前記パン本体は、リブ形成領域の周縁側の領域を除く内側の領域を水上領域及び水下領域に区画すると共に、水上領域の補強用リブ下端を水上領域に隣接する周縁側の領域の補強用リブ下端及び水下領域の補強用リブ下端よりも床板部へ向かって没入させ、前記補強用金属板は、一枚の板材を折曲げ成形してなり、水上領域に位置する水上側片部及び水下領域に位置する水下側片部を第１の起立片部で連接し、水上領域と水下領域の境界に第１の起立片部を対向させたことを特徴とする洗い場用防水パンである。
【０００７】
洗い場用防水パンの剛性を大きくするために請求項２に記載の発明が採用した手段は、前記補強用金属板は、前記周縁側の領域のうち前記水上領域よりも更に水上側となる周縁水上領域に位置する縁側片部及び前記水上側片部を第２の起立片部で連接し、周縁水上領域と水上領域の境界に第２の起立片部を対向させたことを特徴とする請求項１記載の洗い場用防水パンである。
【発明の効果】
【０００８】
請求項１記載の本発明に係る洗い場用防水パンは、水上領域の補強用リブ下端を床板部へ向かって没入させてあるので、従来の補強用リブの下端の全体で一つの仮想平面を形成する態様に比べて、補強用リブの重量を軽減でき、そして補強用金属板の重量が第１の起立片部を備える分だけ従来よりも増大するが、増大分を補強用リブの重量の軽減分よりも相当小さくできるので、洗い場用防水パンとしての剛性を確保しつつ総重量の軽減化できる。
【０００９】
請求項２記載の本発明に係る洗い場用防水パンは、縁側片部及び第２の起立片部を備える分だけ剛性が大きくなる。
【発明を実施するための最良の形態】
【００１０】
本発明に係る洗い場用防水パン（以下、「本発明パン」という。）について図面に示す実施の形態に基いて説明する。
【００１１】
（第１の実施の形態）
図１〜図１１は第１の実施の形態の本発明パン１を示すものであり、図１はパン本体２の周縁側に設けられるパネル受け部８及び浴槽用防水パン受け部９を省略して下面側から見た斜視図、図２はパン本体２を実線で示し補強用金属板３を１点鎖線で示した底面図、図３は図２のイーイ線で断面した断面図、図４は図２のローロ線で断面した断面図、図５は図２のハーハ線で断面した断面図、図６はパン本体２を下面側から見た斜視図、図７は図６のトート線で断面した断面図、図８は図２のリ−リ線で断面し補強用金属板３を省略した断面図、図９は補強用金属板３を下面側から見た斜視図、図１０の図（Ａ）は図２のニ−ニ線で断面した断面図、同図（Ｂ）は脚取付部７に脚部１４を取付けて図２のホーホ線で断面した断面図、図１１は脚取付部７に脚部１６を取付けて図２のヘーへ線で断面した断面図である。なお、以下の説明において、パン本体２の上面を平面視したときにおける、水上側を「前」、水下側を「後」、前から後を正視したときの右を「右」、前から後を正視したときの左を「左」と言う。
【００１２】
本発明パン１は、図１に示す如く、パン本体２の下面側を補強用金属板３で補強したものである。該パン本体２は、合成樹脂（例えば、繊維強化プラスチック（ＦＲＰ））製であり、上面４ａに排水勾配（図３参照）を形成した床板部４と、床板部４の下面４ｂ側のリブ形成領域Ａ（図２参照）に設けた補強用リブ５（後述する補強用リブ１０，１１，１２から成る）と、床板部４の下面側に設けた排水受け部６及び複数個の脚取付部７と、周縁に設けた壁パネル受け部８（図３参照）及び浴槽用防水パン受け部９とを備えている。リブ形成領域Ａは、図２に示す如く、環状となっている周縁側の領域Ｂと、周縁側の領域Ｂの内側の領域Ｃとからなり、内側の領域Ｃを水上領域Ｄ及び水下領域Ｅとに区画され、各領域に補強用リブ１０，１１，１２を設けてある。補強用リブ１０，１１，１２は、床板部４の下面４ｂから下方へ突設した、肉厚が３〜７ｍｍ程度の板状であり、床板部４と一体となっている。
【００１３】
前記周縁側の領域Ｂに設けた補強用リブ１０は、図６に示す如く、外周側の外周リブ１０ａと、内周側の内周リブ１０ｂと、外周リブ１０ａと内周リブ１０ｂを連結する複数の連結リブ１０ｃと、外周リブ１０ａと内周リブ１０ｂの間の水下側に設けた増強用リブ１０ｄとからなる。水下領域Ｅに設けた補強用リブ１２は、左右方向に延びる長手リブ１２０ａと、前後方向へ延びる複数個の短手リブ１２ｂとからなり、周縁側の領域Ｂの内周リブ１０ｂに直接又は脚取付部７を介して接合されている。前記水上領域Ｄの補強用リブ１１は、前後方向へ延びる複数個からなり、水下領域Ｅの長手リブ１２ａと周縁側の領域Ｂの内周リブ１０ｂとに接合されている。
【００１４】
前記排水受け部６は、図２及び図３に示す如く、床板部４の下面４ｂから突設した箱状となっており、床板部４の上面に集水口６ａを開口すると共に、下方に排水口６ｂを開口してあり、周縁側の領域Ｂの補強用リブ１０に接合してある。
【００１５】
前記脚取付部７は、図２及び図１０（Ａ）（Ｂ）に示す如く、周縁側の領域Ｂ内又は領域Ｂに接近して設けられ、筒状の主体部７ａと、複数個のビス螺着部７ｂとからなり、脚部１４を接合してある。脚部１４は、フランジ１４ａのビス孔１４ｂへ挿通したビス１５をビス螺着部７ｂに止め付けてある。図１１は別態様の脚部１６の接合構造を示すものであり、脚部１６は、内側と外側に嵌合部を形成した接合部材１７と、接合部材１７に内嵌してビス接合１８した脚本体１９とからなり、補強用金属板３で覆われていない脚取付部７（図１中の前側を参照）の主体部７ａの内側に接合部材１７を内嵌すると共に、接合部材１７のフランジ１７ａのビス孔１７ｂへ挿通したビス１８をビス螺着部７ｂに止め付けてある。脚取付部７は、複数個を設けてあるが、総ての下端位置を同一レベルとし、脚部１４（又は１６）の下端側に設けた高さ調節具の初期設定を簡単にできるようにしてある。又、脚取付部７の下端位置及び周縁側の領域Ｂ内の補強用リブ１０の下端は一つの仮想平面に位置し、運搬や施工時に脚取付部７の下端を破損しにくくしてある。
【００１６】
前記本発明パン１の周縁に設けた壁パネル受け部８は、図３及び図４に示す如く本例では、前記周縁側の領域Ｂの外周側の三方の外周リブ１０ａ，１０ａ，１０ａから張り出すように設けられ、壁パネル（図示略）の下端面を受ける水平片８ａと、壁パネルの外れを阻止する起立片８ｂとからなる。なお、壁パネル受け部８は、図示は省略したが、前記床板部４の周縁に設けることもある。前記本発明パン１の周縁に設けた浴槽用防水パン受け部９は、浴槽用防水パン（図示略）の下端側を支持するようになっており、エプロン（図示略）の下端を接合することもある。
【００１７】
前記パン本体２は、壁パネル受け部８が受ける大きな壁パネル荷重と浴槽用防水パン受け部９が受ける大きな浴槽用防水パン荷重を、床板部４及び周縁側の領域Ｂ内または領域Ｂに接近して設けた各脚取付部７を介して各脚部１４へ伝達するため、周縁側の領域Ｂに設けた補強用リブ１０の剛性を大きくして、床板部４の撓み変形を小さくしてある。これに対し、前記水下領域Ｅに設けた補強用リブ１２及び水上領域Ｄの補強用リブ１１は、壁パネル荷重と浴槽用防水パン荷重を脚部１４へ伝達する経路に位置しないため、主として使用者の荷重を受けるものであり、周縁側の領域Ｂに設けた補強用リブ１０の剛性よりも小さくすることができる。剛性を小さくできる水上領域Ｄの補強用リブ１１は、その背丈寸法を従来のものに比べて短くすることが可能である。
【００１８】
そこで、パン本体２は、水上領域Ｄの補強用リブ１１の下端を床板部４へ向かって没入させ没入空間Ｇ（図７及び図８参照）を形成し、水上領域Ｄの補強用リブ１１の下端で形成される仮想平面Ｆ１の高さ位置を、水下領域Ｅの補強用リブ１２の下端で形成される仮想平面Ｆ２の高さ位置、及び水上領域Ｄに隣接する前記周縁側の領域Ｂの補強用リブ１０の下端で形成される仮想平面Ｆ３の高さ位置の何れよりも床板部４の上面側４ａへ寸法Ｈ３（没入寸法）だけ偏倚させ、没入空間Ｇを形成しない従来に比べて没入空間Ｇを形成し分だけ水上領域Ｄの補強用リブ１１の重量を軽減してある。
【００１９】
図２及び図８に示す如く、前記水上領域Ｄと水下領域Ｅとに区画するときの前後方向に沿った区分の割合は、同一とすることなく、水上領域Ｄの前後方向に沿う奥行き寸法を水下領域Ｅより大きくし、水上領域Ｄに形成される没入空間Ｇの領域を大きくして、水上領域Ｄの補強用リブ１１の軽減重量を大きくしてある。パン本体２は、水上領域Ｄの前後方向に沿う奥行き寸法を二分する中心線ＣＬ１をリブ形成領域Ａの前後方向に沿う奥行き寸法を二分する中心線ＣＬ２よりも水上側に位置するように設定し、没入寸法Ｈ３が大きく且つ奥行き寸法の大きい水上領域Ｄを確保している。
【００２０】
ところで、パネル本体２は、床板部４の上面４ａに形成される排水勾配を設けると共に、周縁側の領域Ｂに設けた補強用リブ１０（１０ａ，１０ｂ，１０ｃ）の下端を面一で水平としてあるため、図８に示すように、水上側の補強用リブ１０の背丈Ｈ２が水下側の中央寄りの補強用リブ１０の背丈Ｈ１より大きくなる。例えば、排水勾配を１／５０、床板部４の前後奥行き寸法を８００ｍｍのときには、水上側の補強用リブ１０の背丈Ｈ１を５６ｍｍとし、水下側の補強用リブ１０の背丈Ｈ２を４０ｍｍとし、前記偏倚寸法Ｈ３を１６ｍｍとしてある。
【００２１】
前記補強用金属板３は、図９に示す如く、板厚０．５〜１．５ｍｍ程度の溶融亜鉛メッキ鋼板やステンレス鋼板等からなる一枚板を折り曲げ成形して、水上側片部２１、水下側片部２２、該片部２１と２２との間に連接された第１の起立片部２３、縁側片部２４、該片部２１と２４との間に連接された第２の起立片部２５を成形している。補強用金属板３は、第１の起立片部２３及び第２の起立片部２５により長手方向に撓みにくく取扱い易い。図１及び図３に示す如く、補強用金属板３は、パン本体２に取付けられ、水上領域Ｄに水上側片部２１が位置し、水下領域Ｅに水下側片部２２が位置し、水上領域Ｄと水下領域Ｅとの境界部（段部）に第１の起立片部２３が当接又は近接して対向し、又、周縁側の領域Ｂのうち水上領域Ｄよりも更に水上側となる周縁水上領域Ｂａ（図８参照）に縁側片部２４が位置し、第２の起立片部２５が水上領域Ｄと周縁水上領域Ｂａとの境界部（段部）に当接又は近接して対向する。パン本体２に対する補強用金属板３の取付けは、補強用金属板３のビス挿通孔３ａへ挿通したビス２６を補強用リブ５に設けた螺着部５ａに螺着して行なっている。
【００２２】
本発明パン１は、従来の補強用リブの下端の全体で一つの仮想平面を形成する態様に比べて、没入空間Ｇを形成し分だけ水上領域Ｄの補強用リブ１１の重量を軽減してあり、そして補強用金属板３の重量が第１の起立片部２３及び第２の起立片部２５を備える分だけ従来よりも増大するが、増大分を補強用リブ１１の重量の軽減分よりも相当小さくし、総重量を軽減しつつ洗い場用防水パンとしての剛性を確保してある。
【００２３】
（第２の実施の形態）
図１２及び図１３は第２の実施の形態の本発明パン３０を示すものであり、図１２はパン本体２を実線で示し補強用金属板３を１点鎖線で示した底面図、図１３は図１２のチ−チ線で断面した断面図である。なお、図１２及び図１３において、第１の実施の形態の説明で既に用いた符号と同一の符号を付した部材は、第１の実施の形態で示した部材と実質的に同一である。第１の実施の形態の本発明パン１０がパン本体２の長手側となる後側の中央に排水受け部６を設けているのに対して、本実施の形態に係る本発明パン３０は、パン本体２の短手側となる左側の中央に排水受け部６を設けている点で大きく相違する。本発明パン３０は、パン本体２の右側が水上側となり左側が水下側となる。
【００２４】
なお、本発明パンは、第１の実施の形態及び第２の実施の形態で、平面視した形状が長方形となっているが、正方形とすることもある。
【図面の簡単な説明】
【００２５】
【図１】第１の実施の形態の本発明パン１を示すものであり、パン本体２の周縁寄りに設けられるパネル受け部８及び浴槽用防水パン受け部９を省略して下面側から見た斜視図である。
【図２】本発明パン１を示すものであり、パン本体２を実線で示し補強用金属板３を１点鎖線で示した底面図である。
【図３】本発明パン１を図２のイーイ線で断面した断面図である。
【図４】本発明パン１を図２のローロ線で断面した断面図である。
【図５】本発明パン１を図２のハーハ線で断面した断面図である。
【図６】本発明パン１のパン本体２を下面側から見た斜視図である。
【図７】本発明パン１を図６のトート線で断面した断面図である。
【図８】本発明パン１を図２のリ−リ線で断面し、補強用金属板３を省略した断面図である。
【図９】本発明パン１の補強用金属板３を下面側から見た斜視図である。
【図１０】図（Ａ）は本発明パン１を図２のニ−ニ線で断面した断面図であり、図（Ｂ）は本発明パン１の脚取付部７に脚部１４を取付けて図２のホーホ線で断面した断面図である。
【図１１】本発明パン１の脚取付部７に脚部１６を取付けて図２のヘーへ線で断面した断面図である。
【図１２】第２の実施の形態の本発明パン３０を示すものであり、パン本体３１を実線で示し補強用金属板３を１点鎖線で示した底面図である。
【図１３】本発明パン３０を図１２のチ−チ線で断面した断面図である。
【図１４】従来の洗い場用防水パン１００を示す縦断面図である。
【符号の説明】
【００２６】
１…洗い場用防水パン  ２…パン本体  ３…補強用金属板  ４…床板部  ４ａ…上面  
４ｂ…下面  ５…補強用リブ  ７…脚取付部  １０…周縁側の領域の補強用リブ
１１…水上領域Ｄの補強用リブ  １２…水下領域Ｅの補強用リブ  ２１…水上側片部  
２２…水下側片部  ２３…第１の起立片部  ２４…縁側片部  ２５…第２の起立片部  
Ａ…リブ形成領域  Ｂ…周縁側の領域  Ｂａ…周縁水上領域  Ｃ…内側の領域  
Ｄ…水上領域  Ｅ…水下領域  Ｆ１…水上領域Ｄの仮想平面  
Ｆ２…水下領域Ｅの仮想平面  Ｆ３…周縁側の領域Ｂの仮想平面
【図１】
0004939340.tif 000002
【図２】
0004939340.tif 000003
【図３】
0004939340.tif 000004
【図４】
0004939340.tif 000005
【図５】
0004939340.tif 000006
【図６】
0004939340.tif 000007
【図７】
0004939340.tif 000008
【図８】
0004939340.tif 000009
【図９】
0004939340.tif 000010
【図１０】
0004939340.tif 000011
【図１１】
0004939340.tif 000012
【図１２】
0004939340.tif 000013
【図１３】
0004939340.tif 000014
【図１４】
0004939340.tif 000015